(57)【要約】【課題】  大型化及び重量化することなく所要の携帯表示装置を識別させることができ、また効率的な作業を行うことができる表示システムを提供する。【解決手段】  電子ペーパ６に表示された識別情報を読み取る手段と、所要の検索情報を入力する手段と、識別情報及び検索情報をサーバ１へ送信する手段とを備え、サーバ１は、記憶された各表示情報について、送信された検索情報を含む表示情報を検索する手段と、該当する表示情報が存在する場合、当該表示情報に対応する識別情報を特定する手段とを具備し、特定された識別情報は電子ペーパ６へ送信されるようになっており、送信された識別情報と一致する識別情報を記憶している電子ペーパ６は、所定の表示を行う。【選択図】  図１
2009116811.tif 000002
【特許請求の範囲】
【請求項１】
１又は複数のデータを含む複数のデータ群を記憶するサーバと、該サーバとの間でデータ群を送受信する端末器と、該端末器から与えられたデータ群を送信する送信器と、該送信器から送信されたデータ群を受信して、それを表示する複数の携帯表示装置とを備え、前記サーバから所要のデータ群を前記端末器及び送信器を介して１又は複数の携帯表示装置へ送信することによって、当該携帯表示装置に当該データ群を表示させる表示システムであって、
前記携帯表示装置の表示条件に基づいて当該データ群から、１又は複数の携帯表示装置に各別に表示させるための表示情報を生成する手段と、
生成された表示情報別に当該表示情報を識別するための識別情報を生成する手段とを備え、
前記サーバには、生成された各表示情報及び各識別情報が対応付けて記憶されており、
各携帯表示装置は、適宜の表示情報及び対応する識別情報が送信された場合、それらの情報を記憶するようになっており、
更に、所要の検索情報を入力する手段と、入力された検索情報を前記サーバへ送信する手段とを備え、
前記サーバは、記憶された各表示情報について、送信された検索情報を含む表示情報を検索する手段と、該当する表示情報が存在する場合、当該表示情報に対応する識別情報を特定する手段とを具備し、
特定された識別情報は携帯表示装置へ送信されるようになっており、
送信された識別情報と一致する識別情報を記憶している携帯表示装置は、所定の表示を行うようになしてある
ことを特徴とする表示システム。
【請求項２】
１又は複数のデータを含む複数のデータ群を記憶するサーバと、該サーバとの間でデータ群を送受信する端末器と、該端末器から与えられたデータ群を送信する送信器と、該送信器から送信されたデータ群を受信して、それを表示する複数の携帯表示装置とを備え、前記サーバから所要のデータ群を前記端末器及び送信器を介して１又は複数の携帯表示装置へ送信することによって、当該携帯表示装置に当該データ群を表示させる表示システムであって、
前記サーバは、前記端末器からデータ群が送信される都度、各データ群を識別するための第１識別情報別に各データ群を記憶させる手段と、前記端末器からデータ群の送信要求が送信された場合、該当するデータ群から前記携帯表示装置の表示条件に基づいて、１又は複数の携帯表示装置に各別に表示させる表示情報を生成する手段と、表示情報を生成する都度、相異なる第２識別情報を生成する手段と、生成した表示情報の内の適宜の表示情報に、対応する第１識別情報を携帯表示装置に表示させる情報を加える手段と、生成した表示情報に対応する第１識別情報及び第２識別情報を付加して端末器へ返信する手段とを具備し、
一方、前記携帯表示装置に表示された第１識別情報を読み取り、それを前記サーバへ送信する携帯端末器を備え、
該携帯端末器は、検索情報を入力する手段と、入力された検索情報を前記第１識別情報とともに前記サーバへ送信する手段とを具備し、
前記サーバは、第１識別情報及び検索情報が送信された場合、送信された第１識別情報に係る表示情報それぞれについて検索する手段と、検索情報に対応するデータが含まれている表示情報に係る第２識別情報を特定する手段と、特定した第２識別情報を前記携帯端末器へ返信する手段とを更に具備し、
前記携帯端末器は、サーバから特定した第２識別情報が送信された場合、それを記憶させる手段と、送信指令が入力された場合、記憶させた第２識別情報を送信する手段とを更に具備し、
前記携帯表示装置は、表示情報とともに送信された第１識別情報及び第２識別情報を記憶させる手段と、第２識別情報が送信された場合、記憶させた第２識別情報と一致するか否かを判断する手段と、一致すると判断した場合、所定の表示を行う手段とを更に具備する
ことを特徴とする表示システム。
【請求項３】
前記携帯表示装置はカラー表示し得るように構成されており、
前記サーバは、前記特定した第２識別情報を記憶する携帯表示装置の表示色を変更させる色表示情報を生成する手段を更に具備し、
前記携帯表示装置は、第１識別情報及び第２識別情報とともに色表示情報が送信された場合、送信された色表示情報に従って表示色を変更するようになしてある
請求項２記載の表示システム。
【請求項４】
前記表示情報に含まれる検索情報及び予め定められた条件に基づいて、携帯表示装置に表示される色の濃淡を決定するようになしてある請求項３記載の表示システム。
【請求項５】
前記携帯表示装置は、電圧の印加を停止した後も画像の表示を維持するコレステリック液晶を用いて構成してある請求項１から４のいずれかに記載の表示システム。
【発明の詳細な説明】
【技術分野】
【０００１】
本発明は、電子ペーパというように、更新された情報を永続的に表示することが可能な携帯表示装置に所要の情報を表示させる表示システムに関する。
【背景技術】
【０００２】
更新された情報を、電力を消費することなく永続的に表示することが可能な、所謂メモリ性を有する携帯表示装置である電子ペーパが開発されている（例えば、特許文献１参照）。
【０００３】
すなわち、かかる電子ペーパにあっては、所定距離を隔てて対向配置した複数の透明電極間に所要波長の光を反射するコレステリック液晶を封入してなるＲ層、Ｇ層、Ｂ層が相互に積層してあり、各層の周囲に各透明電極間に印加する電圧を制御するドライバがそれぞれ配設してある。そして、各ドライバによって対応する層の各透明電極間に所要の電圧を印加して、当該層内に封入された液晶分子の向きを変え、入射光の透過及び反射の程度を調整すると共に、電圧の印加を瞬時的に停止することによって液晶分子の姿勢を維持・安定化させ、これによって文字・図形等の適宜の情報を、電力を消費することなく永続的に表示させていた。
【０００４】
このような電子ペーパの厚さ寸法は１ｍｍ未満であり、質量は数十ｇ〜数百ｇ程度であるので、ユーザは１枚又は複数枚の電子ペーパを自在に持ち運ぶことができる。そのため、例えば次のように電子ペーパを使用することができる。
【０００５】
すなわち、ユーザは所定の場所に配置された端末器にサーバから所要の情報をダウンロードし、得られた情報を端末器から複数枚の電子ペーパに与えてそこに表示させる。そして、ユーザは当該電子ペーパを持って例えば自宅というように、前記端末器から離れた適宜の場所へ移動し、そこで各電子ペーパに表示されている情報を精査するのである。
【０００６】
前記サーバからインターネットを介して携帯端末器に所要の情報をダウンロードする場合、当該情報の漏洩を防止するためのセキュリティに関する対策が重要な問題となるが、前述した電子ペーパを用いる場合にあっては、インターネットを介さないためそのような問題は生じない。
【０００７】
一方、端末器の画面上で種々の情報を精査する場合、画面の面積が一定であるめ、画像のスクロール及び画像の切替等の作業を頻繁に行わなければならず、作業が煩雑である上に、対比したい複数の情報の表示に要するスペースが大きい場合、一画面上に表示することができないという不都合があった。しかし、複数の電子ペーパを用いる場合にあっては、通常の紙媒体に記載した情報と同様に、所要の情報が表示されている複数の電子ペーパを並べる又は重ねる等の操作を容易に行うことができ、これによって種々の情報を効率的に精査することができる。
【０００８】
ところで、上述したようにして複数の電子ペーパを用いる場合、それらの電子ペーパから所要の情報が表示されているものをユーザが一見しただけで識別できるようにすることができれば前述した情報の精査をより効率的に行うことができるため好適である。
そのため、後述する特許文献２には次のような表示装置が開示されている。
【０００９】
すなわち、本状の表示装置は、背部に相等する柱状の本体と、該本体の周面にそれぞれ一側縁部が連結された複数の電子ペーパとを備えて構成されている。この本体には各電子ペーパに表示すべき情報を記憶する記憶手段、記憶手段に記憶された情報の電子ペーパへの表示を制御する表示制御手段、電子ペーパに表示された情報の内の任意の情報を指定する指定手段、及び指定手段によって指定された情報を含む電子ペーパを検索する検索手段等を備える制御部が内蔵されており、前記指定手段によって指定された情報を含む電子ペーパが検索された場合、表示制御手段は、検索された電子ペーパの他側縁部に目印を表示させるようになっている。
【特許文献１】再公表２００５−０２４７７４号公報
【特許文献２】再公表２００２−０５６２８４号公報
【発明の開示】
【発明が解決しようとする課題】
【００１０】
しかしながら、このような従来の表示装置にあっては、情報の指定、指定された情報の検索、並びに情報及び目印の表示を行わなければならないので比較的大きな電力を要し、そのための外部給電部又はバッテリを配設する必要があるので、表示装置が大型化及び重量化し、実用化が困難であるという問題があった。
【００１１】
また、表示装置は本体と各電子ペーパとを接続して本状になしてあるため、前述した如く、各電子ペーパを任意の場所に各別にそれぞれ配置して情報を精査することができず、効率的な精査作業を行うことができない。
【００１２】
本発明は、斯かる事情に鑑みてなされたものであって、大型化及び重量化することなく所要の携帯表示装置を識別させることができ、また効率的な作業を行うことができる表示システムを提供する。
【課題を解決するための手段】
【００１３】
（１）この表示システムでは、１又は複数のデータを含む複数のデータ群を記憶するサーバから所要のデータ群を端末器及び送信器を介して１又は複数の携帯表示装置へ送信することによって、当該携帯表示装置に当該データ群を表示させる場合、前記携帯表示装置の表示条件に基づいて当該データ群から、１又は複数の携帯表示装置に各別に表示させるための表示情報を生成し、生成された表示情報別に当該表示情報を識別するための識別情報を生成し、前記サーバには、生成された各表示情報及び各識別情報が対応付けて記憶されており、各携帯表示装置は、適宜の表示情報及び対応する識別情報が送信された場合、それらの情報を記憶するようになっており、更に、所要の検索情報を入力する手段と、入力された検索情報を前記サーバへ送信する手段とを備え、前記サーバは、記憶された各表示情報について、送信された検索情報を含む表示情報を検索する手段と、該当する表示情報が存在する場合、当該表示情報に対応する識別情報を特定する手段とを具備し、特定された識別情報は携帯表示装置へ送信されるようになっており、送信された識別情報と一致する識別情報を記憶している携帯表示装置は、所定の表示を行うようになしてある。
このように、検索情報の検索に係る処理は携帯表示装置以外で行われるため、大型化及び重量化することなく所要の検索情報が表示されている携帯表示装置をユーザに識別させることができる。また、複数の携帯表示装置をそれぞれ分離独立して取り扱うことができるため、効率的な作業を行うことができる
【００１４】
（２）具体的には、前記サーバは、前記端末器からデータ群が送信される都度、各データ群を識別するための第１識別情報別に各データ群を記憶させる手段と、前記端末器からデータ群の送信要求が送信された場合、該当するデータ群から前記携帯表示装置の表示条件に基づいて、１又は複数の携帯表示装置に各別に表示させる表示情報を生成する手段と、表示情報を生成する都度、相異なる第２識別情報を生成する手段と、生成した表示情報の内の適宜の表示情報に、対応する第１識別情報を携帯表示装置に表示させる情報を加える手段と、生成した表示情報に対応する第１識別情報及び第２識別情報を付加して端末器へ返信する手段とを具備し、一方、前記携帯表示装置に表示された第１識別情報を読み取り、それを前記サーバへ送信する携帯端末器を備え、該携帯端末器は、検索情報を入力する手段と、入力された検索情報を前記第１識別情報とともに前記サーバへ送信する手段とを具備し、前記サーバは、第１識別情報及び検索情報が送信された場合、送信された第１識別情報に係る表示情報それぞれについて検索する手段と、検索情報に対応するデータが含まれている表示情報に係る第２識別情報を特定する手段と、特定した第２識別情報を前記携帯端末器へ返信する手段とを更に具備し、前記携帯端末器は、サーバから特定した第２識別情報が送信された場合、それを記憶させる手段と、送信指令が入力された場合、記憶させた第２識別情報を送信する手段とを更に具備し、前記携帯表示装置は、表示情報とともに送信された第１識別情報及び第２識別情報を記憶させる手段と、第２識別情報が送信された場合、記憶させた第２識別情報と一致するか否かを判断する手段と、一致すると判断した場合、所定の表示を行う手段とを更に具備する。
【００１５】
このように携帯端末器によって、携帯表示装置に表示されたデータ群に所要の検索情報が含まれるか否かを検索することができ、検索情報が含まれるデータ群を表示している携帯表示装置に所定の表示をさせることができるため、所要のデータ群を表示させた携帯表示装置を携帯して端末器から離隔した場所に移動した場合であっても、簡便に所要の検索情報が表示されている携帯表示装置をユーザに認識させることができる。
【００１６】
（３）また、この表示システムに係る携帯表示装置はカラー表示し得るように構成されており、前記サーバは、前記特定した第２識別情報を記憶する携帯表示装置の表示色を変更させる色表示情報を生成する手段を更に具備し、前記携帯表示装置は、第１識別情報及び第２識別情報とともに色表示情報が送信された場合、送信された色表示情報に従って表示色を変更するようになしてある。
【００１７】
このように携帯表示装置に表示される色が変化するため、所要の検索情報が表示されている携帯表示装置をユーザに一見して認識させることができる。また、異なる識別情報別に異なる色を入力することによって、各検索情報が表示されている携帯表示装置を一見して識別させることもできる。
【００１８】
なお、この場合、複数の識別情報を表示している携帯表示装置にあっては、入力された各色情報の色をそれぞれ異なる領域に表示するようにする。これによって、当該携帯表示装置に複数の検索情報が表示されていることを一見して認識させることができる。
【００１９】
（４）更に、この表示システムは、前記表示情報に含まれる検索情報及び予め定められた条件に基づいて、携帯表示装置に表示される色の濃淡を決定するようになしてある。
従って、携帯表示装置に表示される色の濃淡によって、当該携帯表示装置に表示されている検索情報の数量等の予め定められた条件に該当するか否かを一見して把握することができる。
【００２０】
（５）ところで、この表示システムに係る携帯表示装置は、電圧の印加を停止した後も画像の表示を維持するコレステリック液晶を用いて構成してある。
このように携帯表示装置は電圧を印加しなくても画像の表示を維持することができるため、可及的に軽量化することができる。
【発明を実施するための最良の形態】
【００２１】
（本発明の実施形態）
図１は、本発明に係る表示システムの一構成例を示す模式図であり、図中、２はパーソナルコンピュータ（ＰＣ）である。
なお、本実施の形態では、医療事業者に適用した場合について説明するが、本発明はこれに限られることはなく、種々の事業者に適用し得ることはいうまでもない。
【００２２】
ＰＣ２は例えば診察室等に配置されており、このＰＣ２を用いて電子カルテ、電子処方箋、電子手術箋等のデータ群を入出力し得るようになっている。また、ＰＣ２にはスキャナ装置４が接続されており、手書きされたカルテ、処方箋及び手術箋等を前記スキャナ装置４にてＰＣ２に取り込み、ＰＣ２は取り込んだスキャンデータに基づいて文字認識を行って文字データに変換し、それを一時的に記憶することができるようになっている。
【００２３】
医療事業者の管理室には、複数の患者別に関連するデータを記憶するサーバ１が設置してあり、該サーバ１と前記ＰＣ２とは例えばＬＡＮ（Local  Area  Network）といった第２ネットワークＮ２によって相互接続されている。そして、ＰＣ２からサーバ１に前記各データ群が与えられると、サーバ１は与えられた各データ群を予め定められた患者番号別に記憶する。
【００２４】
一方、前記ＰＣ２にはデータを無線送信する送信器３が接続してあり、該送信器３の近傍に複数の電子ペーパ（携帯表示装置）６，６，…を逐次配置し、各電子ペーパ６，６，…を配置する都度、ＰＣ２内の所定容量分のデータを送信器３から送信させることによって、各電子ペーパ６，６，…に所要のデータを表示させ得るようになっている。
【００２５】
各電子ペーパ６，６，…へのデータの送信に先立って、複数の患者番号がＰＣ２に入力されると、ＰＣ２は各患者番号に係るデータの送信要求を前記サーバ１へ送信する。サーバ１はかかる送信要求を受信すると、各患者番号別に相異なる第１識別情報を生成し、それを各患者番号別に記憶すると共に、受信した患者番号に係るデータを読み出す。
【００２６】
サーバ１には電子ペーパの表示データ容量、表示領域及び表示フォーマット等の表示条件が予め与えられており、サーバ１は各患者番号に係るデータから各電子ペーパに表示させるための複数の表示情報を前記表示条件に基づいてそれぞれ生成するとともに、生成した表示情報別に相異なる第２識別情報を生成し。生成した表示情報及び第２識別情報を対応付けて記憶する。
【００２７】
そして、サーバ１は、生成した表示情報を第１識別情報及び第２識別情報とともに該当するＰＣ２へ返信する。
なお、患者番号とともにカルテ、処方箋、又は手術箋等を指定することによって、患者番号に係る全データから指定したデータをサーバ１からＰＣ２へ返信することもできる。
【００２８】
また、本実施の形態では、各患者番号別に相異なる第１識別情報を生成するようになしてあるが、本発明はこれに限らず、患者番号を第１識別情報として用いるようにしてもよい。この場合、サーバ１は第１識別情報を生成せずに済むため、サーバ１における処理を簡素化することができる。
【００２９】
一方、前述した如くサーバ１が第１識別情報を生成する構成にした場合、患者番号というように各データ群を識別する情報が付与されていない場合であっても、それらデータ群を第１識別情報によって識別することができる。
【００３０】
前記ＰＣ２は、サーバ１から表示情報、第１識別情報及び第２識別情報電子を受信すると、電子ペーパ別に表示情報を送信器３から送信させるのに際して、該当する第１識別情報及び第２識別情報も送信させ、当該電子ペーパ６に表示情報を記憶・表示させると共に、第１識別情報及び第２識別情報も記憶させる。
【００３１】
なお、患者番号別に先頭の電子ペーパ６には、例えばバーコード又はＱＲコードにより前記第１識別情報が表示されるようになっている。
各電子ペーパ６，６，…は、送信器３から与えられた識別情報及び表示情報を次のようにして表示する。
【００３２】
図２は、図１に示した電子ペーパ６の要部構成を示すブロック図である。
図２に示したように、電子ペーパ６は、所定距離を隔てて対向配置した複数の透明電極間に所要波長の光を反射するコレステリック液晶を封入してなるＲ層、Ｇ層、Ｂ層を相互に積層して構成した表示部６７を備えており、該表示部６７には各層の透明電極間に印加する電圧をそれぞれ制御するドライバ６５，６５，６５が接続してある。これらドライバ６５，６５，６５の動作はＭＰＵ６１によって制御されるようになっている。
【００３３】
また、電子ペーパ６の適宜位置にはコイル状のアンテナ部６３が埋設してあり、該アンテナ部６３は外部からの信号を受信してそれをＭＰＵ６１に与えると共に、信号の受信によって起電力を生起してそれを電源部６４に与えるようになっている。
【００３４】
電源部６４には定電圧回路及びキャパシタ等が配設してあり、電源部６４からＭＰＵ６１、各ドライバ６５，６５，６５及び後述するメモリ６２に所要の電力が所要の時間だけ供給される。
【００３５】
ＭＰＵ６１は、アンテナ部６３から与えられた信号に表示情報が含まれているか否かを判断し、表示情報が含まれていると判断した場合、表示情報並びに第１識別情報及び第２識別情報を不揮発性のメモリ６２に与えてそこに記憶させると共に、メモリ６２に記憶させた表示情報に従って、ドライバ６５，６５，６５を作動させ、表示部６７に表示情報に対応するデータを表示させる。
【００３６】
前述した表示部６７は、各ドライバ６５，６５，６５によって各透明電極間に所要の電圧が印加されると、各層内に封入された液晶分子の向きが変化して、入射光の透過及び反射の程度が調整されると共に、電圧の印加が瞬時的に停止されることによって液晶分子の姿勢が維持・安定化され、これによって文字・図形等の適宜のデータを、電力を消費することなく永続的に表示する。
このようにして、相異なる複数の患者に係るデータが各別に表示された複数の電子ペーパ６，６，…が任意の場所にある場合、指定したデータが表示されている１又は複数の電子ペーパ６を次のようにしてユーザに認識させる。
【００３７】
すなわち、図１に示したように、携帯電話器又はＰＤＡというように、バーコード又はＱＲコード等によって表示された第１識別情報１１，１１，…を内蔵する撮像機能等により読み取ることが可能であり、文字情報を入力することができる携帯端末器７が、インターネットといった第１ネットワークＮ１を介して前記サーバ１と接続可能になしてある。
【００３８】
ユーザは携帯端末器７に、該当する電子ペーパ６，６，…にそれぞれ表示されている各第１識別情報１１，１１，…を読み取らせるとともに、病名、薬剤及び／又は術式等、所要の検索情報、及び色情報を携帯端末器７に入力した後、検索指令を入力する。
携帯端末器７は、検索指令が入力された場合、各第１識別情報、検索情報、及び色情報を第１ネットワークＮ１を介してサーバ１に送信する。
【００３９】
サーバ１は携帯端末器７が送信した前記各情報を受信すると、受信した各第１識別情報に係るデータ内において検索情報に該当するデータが含まれるか否かを検索し、該当するデータが含まれる場合、対応する第１識別情報及び第２識別情報を特定すると共に、受信した色情報の色を表示させる色表示情報を生成し、それらを第１ネットワークＮ１を介して携帯端末器７へ返信する。
【００４０】
携帯端末器７はサーバ１から対応する第１識別情報、第２識別情報、及び色表示情報を受信した後、これらの情報を電子ペーパ６，６，…へ送信する指令が入力されると、両識別情報とともに色表示情報を送信する。
【００４１】
各電子ペーパ６，６，…は、所定領域内で携帯端末器７から送信された両識別情報及び色表示情報を受信すると、内蔵するアンテナ部６３,６３，…による起電力によってＭＰＵ６１，６１，…が作動し、各ＭＰＵ６１，６１，…は、受信した第１識別情報及び第２識別情報がメモリ６２，６２，…に記憶されている第１識別情報及び第２識別情報に一致するか否かを判断し、一致しないと判断した場合は動作を終了する。
【００４２】
一方、各ＭＰＵ６１，６１，…は、メモリ６２，６２，…に記憶されている第１識別情報及び第２識別情報に一致すると判断した場合、受信した色表示情報に従って背景又は表示領域の周縁部等、予め定められた領域の色を変更表示する。
【００４３】
これによって、図１に示したように、携帯端末器７に入力された検索情報が表示されている１又は複数の電子ペーパ６ａ，６ａ，…は、所定表示領域の色（図１にあっては背景色）が変更されるため、ユーザは検索情報が表示されている電子ペーパ６ａ，６ａ，…を一見して認識することができる。
【００４４】
なお、電子ペーパ６の色の変更は、一様に変更するようにしてもよいが、含まれる検索情報の数量、更新日の相違等、予め定めた条件に基づいて色の濃淡を決定し、決定した色の濃淡に変更するようにしてもよい。また、複数種類の検索情報を含む場合は、指定された各色を予め定めた異なる表示位置にそれぞれ表示するようにしてもよい。
【００４５】
図３及び図４は、図１に示したＰＣ２の動作手順を示すフローチャートである。
ＰＣ２は、患者に係るデータといったデータの作成指令が与えられたか否かを判断し（ステップＳ１）、それが与えられたと判断した場合、電子カルテ、電子処方箋、電子手術箋等のデータ群の入力画面の表示、及び入力画面に入力された情報の取得、又はスキャナ装置４からのスキャンデータの取り込み、取り込んだスキャンデータの文字情報への変換等、データ群の作成を行う（ステップＳ２）。
【００４６】
次に、ＰＣ２は、作成したデータ群の送信指令が入力されたか否かを判断し（ステップＳ３）、それが入力されたと判断した場合、第２ネットワークＮ２を介してサーバ１へ送信する（ステップＳ４）。
【００４７】
一方、ＰＣ２は、ステップＳ１でデータ群の作成指令が与えられていないと判断し、ステップＳ３で作成したデータ群の送信指令が入力されていないと判断した場合、電子ペーパ６，６，…に所要のデータ群を表示させる指令が与えられたか否かを判断し（ステップＳ５）、当該指令が与えられたと判断した場合、患者番号が入力されるまで待機し（ステップＳ６）、それが入力された場合、入力された患者番号を第２ネットワークＮ２を介してサーバ１へ送信する（ステップＳ１０）。
【００４８】
ＰＣ２は、送信した各患者番号に対応して前述した如くサーバ１が生成した表示情報、各第１識別情報及び各第２識別情報がサーバ１から返信されるまで待機し（ステップＳ１１）、それらが返信された場合、返信された各表示情報、各第１識別情報及び各第２識別情報を関連付けて記憶する（ステップＳ１２）。
【００４９】
一方、ＰＣ２は、電子ペーパ６に表示させる表示情報を送信器３から送信させる指令が与えられるまで待機し（ステップＳ２０）、それが与えられたと判断した場合、未送信の表示情報が存在するか否かを判断する（ステップＳ２１）。ＰＣ２は、未送信の表示情報が存在すると判断した場合、先頭から順に未送信の表示情報を選択する（ステップＳ２２）。
【００５０】
ＰＣ２は、該当する表示情報並びに対応する第１識別情報及び第２識別情報を送信器３から電子ペーパ６へ送信させ（ステップＳ２５）、当該電子ペーパ６に表示情報を表示させる。
そして、ＰＣ２は、ステップＳ２１で全ての表示情報を送信したと判断するまでステップＳ２１からステップＳ２５までの動作を繰り返す。
ＰＣ２はこれらステップＳ１からステップＳ２５までの動作を繰り返し実行する。
図５及び図６は、図１に示したサーバ１の動作手順を示すフローチャートである。
サーバ１は、ＰＣ２からデータ群が送信されたか否かを判断する（ステップＳ３０）。
【００５１】
サーバ１は、ＰＣ２からデータ群が送信されたと判断した場合、送信された各データ群毎に相異なる第１識別情報を生成し（ステップＳ３１）、各データ群に含まれる患者番号及び各データ群並びに生成した第１識別情報を対応付けて所定領域に記憶させる（ステップＳ３２）。
【００５２】
サーバ１は、これらの動作を実行した後、及びステップＳ３０でＰＣ２からデータ群が送信されていないと判断した場合、ＰＣ２から患者番号が送信されたか否かを判断する（ステップＳ４０）。
【００５３】
サーバ１は、患者番号が送信されたと判断した場合、前記領域から該当するデータ群及び第１識別番号を読み出す（ステップＳ４１）。サーバ１には、電子ペーパ６，６，…の表示データ容量、表示領域及び表示フォーマット等の表示条件が予め与えられており、サーバ１は、各データ群から各電子ペーパ６，６，…にそれぞれ表示させるための複数の表示情報をそれぞれ生成すると共に、生成した表示データ別に相異なる第２識別情報を生成する（ステップＳ４２，Ｓ４３）。
【００５４】
サーバ１は、生成した各表示情報から先頭項に表示すべき表示情報を抽出し（ステップＳ４４）、抽出した表示情報に、対応する第１識別情報を電子ペーパ６に表示させる情報を追加する（ステップＳ４５）。これによって、先頭項の表示情報を表示する電子ペーパ６に対応する第１識別情報１１が表示される。
【００５５】
なお、電子ペーパ６における第１識別情報の表示様態（バーコード又はＱＲコードの別）、及び表示領域は予め定められている。
また、該当する全ての電子ペーパ６，６，…に対応する第１識別情報１１，１１，…を表示させるようにしてもよい。
【００５６】
ところで、前述したステップＳ４２からステップＳ４５まで処理動作は、ＰＣ２が行うように構成してもよい。
そして、サーバ１は生成した表示情報及び第２識別情報を記憶する（ステップＳ４６）一方、それら表示情報、第１識別情報及び第２識別情報を該当するＰＣ２へ返信する（ステップＳ４７）。
【００５７】
サーバ１は、これらの動作を実行した後、及びステップＳ４０で患者番号が送信されていないと判断した場合、携帯端末器７から検索情報、第１識別情報及び色情報が送信されたか否かを判断する（ステップＳ５０）。
【００５８】
サーバ１は、それらの情報が送信されたと判断した場合、送信された第１識別情報に係るデータ群を前記領域から読み出し（ステップＳ５１）、読み出したデータ群を作業領域に展開する（ステップＳ５３）。
【００５９】
そして、サーバ１は、展開したデータ群中に検索情報と一致する情報の有無を検索し（ステップＳ５３）、一致する情報が検索された場合、その情報が属する第２識別情報を特定する（ステップＳ５４）とともに、色情報で指定しれた色を電子ペーパ６に表示させるべく色表示情報を生成し（ステップＳ５５）、当該第１識別情報、特定した第２識別情報、及び生成した色表示情報を携帯端末器７へ返信する（ステップＳ５６）。
【００６０】
サーバ１はこれらステップＳ３０からステップＳ５６までの動作を繰り返し実行する。
なお、本実施の形態では、サーバ１は、展開したデータ群中に検索情報と一致する情報の有無について検索するようにしてあるが、これに限らず、予め定めた類似情報、及び／又は反意情報の有無、或いはそれらの数量等も検索するようになしてもよい。
【００６１】
図７及び図８は、図１に示した携帯端末器７の動作手順を示すフローチャートである。
携帯端末器７は、第１識別情報の取得要求が入力されるまで待機し（ステップＳ６０）、それが入力された場合、第１識別情報を取得する（ステップＳ６１）。
【００６２】
次いで、携帯端末器７は、任意の語句・記号といった検索情報が入力されるまで待機し（ステップＳ６２）、検索情報が入力された場合、当該検索情報を取得する（ステップＳ６３）。
【００６３】
更に、携帯端末器７は、色が指定されるまで待機し（ステップＳ６４）、それが指定された場合、対応する色情報を生成する（ステップＳ６５）
次いで、携帯端末器７は、検索指令が入力されるまで待機し（ステップＳ６６）、検索指令が入力された場合、前記第１識別情報、検索情報及び色情報を第１ネットワークＮ１を介してサーバ１へ送信する（ステップＳ６７）。
【００６４】
携帯端末器７は、第１ネットワークＮ１を介してサーバ１から第１識別情報及び第２識別情報、ならびに色表示情報が返信されるまで待機し（ステップＳ６８）、それらの情報が返信された場合、それらを記憶する（ステップＳ６９）。
【００６５】
そして、携帯端末器７は、ユーザによって出力指令が入力されるまで待機し（ステップＳ７０）、出力指令が入力された場合、サーバ１から返信された第１識別情報及び第２識別情報、並びに色表示情報を電子ペーパ６，６，…へ出力する。
【００６６】
図９は、図１に示した電子ペーパ６の動作手順を示すフローチャートである。
電子ペーパ６のＭＰＵ６１は、送信器３又は携帯端末器７から送信された信号を受信したときに起動し、起動した場合、送信器３から表示情報、第１識別情報及び第２識別情報を受信したか否かを判断し（ステップＳ８０）、それらの情報を受信したと判断した場合、当該各情報をメモリ６２の所定領域に記憶させる（ステップＳ８１）とともに、ドライバ６５，６５，６５をしてメモリ６２に記憶させた表示情報を表示部６７に表示させる（ステップＳ８２）。
【００６７】
一方、ＭＰＵ６１は、ステップＳ８０で送信器３からの信号ではないと判断した場合、携帯端末器７から第１識別情報、第２識別情報及び色表示情報を受信したか否かを判断し（ステップＳ８３）、そうであると判断した場合、受信した第１識別情報及び第２識別情報がメモリ６２の所定領域に記憶させた第１識別情報及び第２識別情報と一致するか否かを判断し（ステップＳ８４）、一致すると判断した場合、ドライバ６５，６５，６５をして、例えば表示部６７の背景の色又は表示領域縁部の所定領域の色を受信した色表示情報に従って変更させる（ステップＳ８５）。
【００６８】
なお、本実施の形態では、携帯端末器７から送信された色情報によってサーバ１が色表示情報を生成するようになしてあるが、本発明はこれに限らず、予め定めた順番で電子ペーパ６の表示色を変更させるようになしてもよい。
【００６９】
また、本実施の形態では、表示部６７の所定領域の色を変更するようになしてあるが、これに限らず、表示部６７の所定領域の色を変更すると共に、色変色領域上又はその近傍に対応する検索情報を表示するようにしてもよい。
【図面の簡単な説明】
【００７０】
【図１】本発明に係る表示システムの一構成例を示す模式図である。
【図２】図１に示した電子ペーパの要部構成を示すブロック図である。
【図３】図１に示したＰＣの動作手順を示すフローチャートである。
【図４】図１に示したＰＣの動作手順を示すフローチャートである。
【図５】図１に示したサーバの動作手順を示すフローチャートである。
【図６】図１に示したサーバの動作手順を示すフローチャートである。
【図７】図１に示した携帯端末器の動作手順を示すフローチャートである。
【図８】図１に示した携帯端末器の動作手順を示すフローチャートである。
【図９】図１に示した電子ペーパの動作手順を示すフローチャートである。
【符号の説明】
【００７１】
１    サーバ
２    パーソナルコンピュータ（ＰＣ）
３    送信器
６    電子ペーパ（携帯表示装置）
７    携帯端末器
６１    ＭＰＵ
６２    メモリ
６３    アンテナ部
６５    ドライバ
６７    表示部
Ｎ１    第１ネットワーク
Ｎ２    第２ネットワーク
【図１】
2009116811.tif 000003
【図２】
2009116811.tif 000004
【図３】
2009116811.tif 000005
【図４】
2009116811.tif 000006
【図５】
2009116811.tif 000007
【図６】
2009116811.tif 000008
【図７】
2009116811.tif 000009
【図８】
2009116811.tif 000010
【図９】
2009116811.tif 000011